(57)【要約】【課題】既知の防虫用ネットを網戸用枠体に対して容易に且つ確実に、しかも安定的に固定できるうえに、特に防虫用ネットに比してメッシュが細かい網戸用ネットを網戸用枠体に固定するのに有効な網戸用ネットの押さえ部材を提供する。【解決手段】押さえ部材１４は、係止用溝１８を覆う覆板１５に、係止用溝１８に対してその内向き突縁１９に圧接する状態で嵌る弾性変形可能な一対の脚条１６を備えることにより構成されている。覆板１５における脚条１６の外側に、係止用溝１８における内向き突縁１９の外面１９ａとの間に挟持したネット１２に圧接するところの、該ネット１２表面の凹凸により変形する軟質の圧接部１５ａを一体に形成する。【選択図】図１
2007205153.tif 000002
【特許請求の範囲】
【請求項１】
方形の網戸用枠体におけるネット張設面に沿う一面の内周に内向き突縁により口部を狭窄化して形成した係止用溝に、網戸用ネットとともに押入することにより該ネットを固定するための合成樹脂製の押さえ部材であって、
上記押さえ部材は、係止用溝を覆う覆板に、該係止用溝に対してその内向き突縁に圧接する状態で嵌る弾性変形可能な脚部を備えることにより構成され、
上記覆板における脚部の外側に、上記係止用溝における内向き突縁の外面との間に挟持したネットに圧接するところの、該ネット表面の凹凸により変形する軟質の圧接部を一体に形成した、
ことを特徴とする網戸用ネットの押さえ部材。
【請求項２】
上記係止用溝が一対の対向する内向き突縁の間に狭窄化した口部を有する網戸用枠体のための押さえ部材であって、
上記脚部が、係止用溝に対してその口部両側の内向き突縁にそれぞれ圧接する状態で嵌る一対の弾性変形可能な脚条によって構成され、
上記一対の脚条は、その先端部外側に、上記係止用溝への押入時に係止用溝の内向き突縁の先端に圧接する斜面をそれぞれ有し、且つ、上記押さえ部材の係止用溝への押入完了時に上記突縁の内側に係止する係止縁を有する係止突部をそれぞれ備え、
上記係止突部の係止縁が、該係止突部の先端部外側における上記斜面に背向する斜面に形成されている、
ことを特徴とする請求項１に記載の網戸用ネットの押さえ部材。
【請求項３】
上記係止用溝が網戸用枠体の内周平面とそれに対向する内向き突縁との間に狭窄化した口部を有する網戸用枠体のための押さえ部材であって、
上記脚部が、上記内向き突縁に圧接する状態で嵌る弾性変形可能な脚条と、上記網戸用枠体の内周平面に当接して挿着姿勢を保持する当接板部とによって構成され、
上記脚条は、その先端部外側に、上記係止用溝への押入時に係止用溝の内向き突縁の先端に圧接する斜面を有し、且つ、上記押さえ部材の係止用溝への押入完了時に上記突縁の内側に係止する係止縁を有する係止突部を備え、
上記係止突部の係止縁が、該係止突部の先端部外側における上記斜面に背向する斜面に形成されている、
ことを特徴とする請求項１に記載の網戸用ネットの押さえ部材。
【請求項４】
上記覆板の圧接部に、上記ネットに圧接することにより変形する少なくとも１条の突条を設けた、
ことを特徴とする請求項１乃至３のいずれかに記載の網戸用ネットの押さえ部材。
【発明の詳細な説明】
【技術分野】
【０００１】
本発明は、網戸用枠体の係止用溝に網戸用ネットとともに押入することにより、該ネットを枠体に対して固定するための網戸用ネットの押さえ部材に関し、特に既存の汎用防虫用ネットに比してメッシュが細かい網戸用ネットを網戸用枠体に対して固定するのに適した網戸用ネットの押さえ部材に関するものである。
【背景技術】
【０００２】
近年、建物開口部からより小さな虫や細かい塵埃が侵入したりするのを防ぐため、よりメッシュが細かい網戸用ネットの需要が多くなっており、該ネットを建物開口部に設置される既知の防虫網戸の網戸用枠体に張設する場合には、該枠体の係止用溝に対して、網戸用ネットを固定するための既知のゴム紐状の押さえ部材を押入することにより上記ネットを張設するのが一般的に想定されることである。
しかしながら、上記メッシュが細かいネットは、フィラメントの繊度が既知の防虫用ネットに比して細く、生地も薄いため、ネットの引裂強度が既知のネットに比べて弱いばかりでなく、既知のネットに比してメッシュが細かいので、必然的に表面が平滑で、ネット自体が柔軟になって、他物との摩擦力も小さく、表面が滑りやすい状態になっている。そのため、網戸用枠体に対して既知のゴム紐状の押さえ部材を使用して該ネットを固定しようとすると、該ネットが既知のネットに比して滑りやすいので、皺を生じることなく綺麗に張ることができないばかりでなく、張設した該ネットに外力が作用すると、簡単に抜け出し、あるいは押さえ部材とともに係止用溝から外れてしまうという問題がある。
また、ネット自体が薄く傷が付きやすいため、ネットを押さえ部材で網戸用枠体に固定する際に、該押さえ部材からネットに対して部分的に集中して外力を作用させると、該ネットが破損してしまう可能性がある。
【発明の開示】
【発明が解決しようとする課題】
【０００３】
本発明の技術的課題は、既知の防虫用ネットを網戸用枠体に対して容易に且つ確実に、しかも安定的に固定することができるのはもちろんであるが、特に、上記防虫用ネットに比してメッシュが細かい網戸用ネット、つまり引裂強度が弱く表面が滑りやすいネットを網戸用枠体に固定するのに有効な網戸用ネットの押さえ部材を提供することにある。
本発明の他の技術的課題は、ネットを押さえ部材で網戸用枠体に固定する際に、該押さえ部材からネットに対して外力が部分的に集中して作用することがなく、該ネットに傷を付けたり破損させることなく固定することが可能な網戸用ネットの押さえ部材を提供することにある。
【課題を解決するための手段】
【０００４】
上記課題を解決するための本発明は、方形の網戸用枠体におけるネット張設面に沿う一面の内周に内向き突縁により口部を狭窄化して形成した係止用溝に、網戸用ネットとともに押入することにより該ネットを固定するための合成樹脂製の押さえ部材であって、該押さえ部材は、係止用溝を覆う覆板に、該係止用溝に対してその内向き突縁に圧接する状態で嵌る弾性変形可能な脚部を備えることにより構成され、上記覆板における脚部の外側に、上記係止用溝における内向き突縁の外面との間に挟持したネットに圧接するところの、該ネット表面の凹凸により変形する軟質の圧接部を一体に形成したことを特徴とするものである。
上記構成を有する網戸用ネットの押さえ部材によれば、上記押さえ部材の脚部を網戸用枠体の係止用溝内に押入してネットを固定する際に、該ネットは脚部の外側を適度に滑って該ネットに対して適度な張力を付与し、そして、最終的な固定がほぼ完了する段階で上記覆板における軟質の圧接部が上記ネット表面の凹凸により変形しながら該ネットに対して弾性的に圧接されるので、該圧接部とネットとの間の摩擦力によって該ネットが係止用溝内でずれ動くのを抑止することができ、延いては該ネットを網戸用枠体に対して容易に且つ確実に、しかも安定的に固定することができる。
【０００５】
上記網戸用枠体における係止用溝が一対の対向する内向き突縁の間に狭窄化した口部を有する場合、上記脚部が、係止用溝に対してその口部両側の内向き突縁にそれぞれ圧接する状態で嵌る一対の弾性変形可能な脚条によって構成され、該一対の脚条は、その先端部外側に、上記係止用溝への押入時に係止用溝の内向き突縁の先端に圧接する斜面をそれぞれ有し、且つ、上記押さえ部材の係止用溝への押入完了時に上記突縁の内側に係止する係止縁を有する係止突部をそれぞれ備え、上記係止突部の係止縁が、該係止突部の先端部外側における上記斜面に背向する斜面に形成される。
すなわち、上記一対の脚条の先端部外側が、上記係止突部の先端部外側の斜面と係止縁の斜面によってなだらかな山型に形成されるので、上記押さえ部材の脚部を網戸用枠体の係止用溝内に押入してネットを固定する際に、該ネットは両脚条の先端部外側の上記両斜面上を適度に滑るため、上記押さえ部材からネットに対して外力が部分的に集中して作用することがなく、該ネットに対して適度な張力を付与することができ、延いては該ネットに傷を付けたり破損させることなく上記網戸用枠体に固定することができる。しかも、上記係止用溝に対する押さえ部材の押入がほぼ完了する時点では、斜面状の係止縁が開口の内向き突縁にネットを介して圧接し、前記軟質の圧接部との間で上記内向き突縁及びネットを挟持するので、ネットの固定状態においては上記押さえ部材が係止用溝の口部に安定的に保持される。
【０００６】
一方、上記網戸用枠体における係止用溝が、網戸用枠体の内周平面とそれに対向する内向き突縁との間に狭窄化した口部を有するものである場合には、上記脚部が、係止用溝に対して内周平面側に突出する内向き突縁に圧接する状態で嵌る弾性変形可能な脚条と、上記網戸用枠体の内周平面に当接して挿着姿勢を保持する当接板部とによって構成され、上記脚条は、その先端部外側に、上記係止用溝への押入時に係止用溝の内向き突縁の先端に圧接する斜面を有し、且つ、上記押さえ部材の係止用溝への押入完了時に上記突縁の内側に係止する係止縁を有する係止突部を備え、上記係止突部の係止縁が、該係止突部の先端部外側における上記斜面に背向する斜面に形成される。
また、上記覆板の圧接部には、上記ネットに圧接することにより変形する少なくとも１条の突条をそれぞれ設けるのが好ましい。
【発明の効果】
【０００７】
以上に詳述した本発明の網戸用ネットの押さえ部材によれば、既知の防虫用ネットを網戸用枠体に安定的に固定することができるのはもちろんのこと、該防虫用ネットに比してメッシュが細かい網戸用ネットを網戸用枠体に対して容易に且つ確実に、しかも安定的に固定することができるうえに、ネットを押さえ部材で網戸用枠体に固定する際に、該押さえ部材からネットに対して外力が部分的に集中して作用することがなく、該ネットに傷を付けたり破損させることなく固定することができる。
【発明を実施するための最良の形態】
【０００８】
図１乃至図４は、本発明に係る網戸用ネットの押さえ部材を防虫網戸におけるネットの固定に適用した場合の第１実施例を示している。この防虫網戸は、窓枠などの建物開口部に固定的に、あるいは摺動自在に配設されるものである。
上記網戸は、四辺を構成するアルミニウム製の横枠部材１１ａ及び縦枠部材１１ｂにより方形に形成された網戸用枠体１１と、該枠体１１に張設された防虫用ネット１２と、該ネット１２を枠体１１に固定するための押さえ部材１４とを備えている。上記防虫用ネット１２は、既知の防虫用ネットよりも細い繊度のポリエステル繊維あるいはポリプロピレン繊維等のフィラメントを用い、それを平織あるいはラッセル織で織成することにより既知の防虫用ネットよりメッシュを細かく形成したものである。
【０００９】
上記枠体１１を構成する横枠部材１１ａ及び縦枠部材１１ｂには、そのネット張設面に沿う一面の内周側に形成した凹段部に係止用溝１８が形成されている。この係止用溝１８は、その口部が左右一対の内向き突縁１９により狭窄化されたものである。そして、上記防虫用ネット１２は、該枠体１１の係止用溝１８を設けたネット張設面に沿う一面上に該防虫用ネット１２を載置した状態で、上記押さえ部材１４と共に係止用溝１８内に押入され、枠体１１に防虫用ネット１２が張設される。
【００１０】
上記押さえ部材１４は、合成樹脂の押出し成形により形成され、図１及び図２に明確に示すように、係止用溝１８を覆う覆板１５に、該係止用溝１８に対してその内向き突縁１９にそれぞれ先端部が圧接する状態で嵌る脚部、即ち一対の弾性変形可能な脚条１６を一体的に備えることにより構成されている。そして、上記覆板１５における脚条１６の両外側には、該覆板１５及び脚条１６よりも軟質の合成樹脂により該覆板１５と一体成形された一対の圧接部１５ａが形成されており、該圧接部１５ａには、該圧接部１５ａと上記係止用溝１８における内向き突縁１９の外面１９ａとの間に挟持した上記ネット１２に弾性的に圧接する一対の尖頭状の突条１５ｂがそれぞれ突設されている。
【００１１】
また、上記一対の脚条１６には、それらの先端部外側に、上記係止用溝１８への押入時に該係止用溝１８の内向き突縁１９の先端に接する斜面１６ｂを有し、且つ、該押さえ部材１４の係止用溝１８への押入完了時に上記突縁１９の内側に係止する係止縁１６ｃを有する係止突部１６ａを備えている。この係止突部１６ａの係止縁１６ｃは、該係止突部１６ａの先端部外側における上記斜面１６ｂに背向する斜面に形成されており、それにより、該係止突部１６ａは、上記係止用溝１８内への押入完了時において、全体として上記係止用溝１８の内側壁１８ａに対峙するなだらかな山型に形成されている。
【００１２】
上述した網戸用ネットの押さえ部材１４を用いて、上記網戸用枠体１１に対して防虫用ネット１２を張設するに際しては、先ず、枠体１１上に防虫用ネット１２を載置し、次いで、押さえ部材１４を一つの係止用溝１８上において防虫用ネット１２上に置き、上記ネット１２を押さえ部材１４で係止用溝１８に対して押圧する。これにより、押さえ部材１４の係止突部１６ａの斜面１６ｂが、ネット１２を介して係止用溝１８の内向き突縁１９の先端に当接し、押さえ部材１４に加わる押圧力により押さえ部材１４の脚条１６が内側に弾性変形しながら押入される。脚条１６の係止突部１６ａの全体が係止用溝１８の内向き突縁１９の内側を通過すると、脚条１６がほぼ元の形に戻り、上記係止縁１６ｃが係止用溝１８の内向き突縁１９の内側にネット１２を介して係止され、押さえ部材１４の抜け出しが防止される。そして、最終的な固定がほぼ完了する段階で、該押さえ部材１４における覆板１５の圧接部１５ａに突設した軟質の突条１５ｂが、上記ネット１２の表面の凹凸により変形しながらネット１２に対して弾性的に圧接され、それによって該ネット１２を覆板１５の圧接部１５ａと内向き突縁１９の外面１９ａとの間に挟持するようにしているので、該突条１５ｂとネット１２との間の摩擦力によって該ネット１２がずれ動くのが抑制され、該ネット１２を安定的に固定することができる。
【００１３】
このとき、該脚条１６の係止突部１６ａは、押さえ部材１４の脚条１６の先端部外側における上記係止突部１６ａの斜面１６ｂ及び係止縁１６ｃの斜面によってなだらかな山型に形成されているので、上記押さえ部材１４の係止用溝１８内への押入時において、上記ネット１２は係止突部１６ａに対して適度の滑動が許容される。したがって、該ネット１２に対して外力が部分的に集中して作用することがなく、該ネット１２に傷を付けたり破損させることなく、該ネット１２を内向き突縁１９の先端と上記脚条１６における係止縁１６ｃの斜面との間に挟持させることができる。
しかも、上記係止用溝１８に対する押さえ部材１４の押入がほぼ完了する時点では、斜面状の係止縁１６ｃが開口の内向き突縁１９にネット１２を介して圧接し、前記軟質の圧接部１５ａとの間で上記内向き突縁１９及びネット１２を挟持するので、ネット１２の固定状態においては上記押さえ部材１４が係止用溝１８の口部に安定的に保持される。
【００１４】
このような張設作業により、上記ネット１２を網戸用枠体１１に対して容易に且つ確実に緊張状態に張設することができ、張設後に多少の外力が作用しても、ネット１２がずれ動いて皺ができるようなことはなく安定的に固定することができる。
そして、枠体１１の四周についての押さえ部材１４による固定を行ったうえで、押さえ部材１４の外側にある防虫用ネット１２の端部を切除することにより、それらの張設作業が完了する。
【００１５】
以上に詳述したように、防虫用ネットに比してメッシュが細かい網戸用ネット、つまり引裂き強度が弱く表面が滑りやすいネット１２を網戸用枠体１１に対して容易に且つ確実に、しかも安定的に固定することができるうえに、ネット１２を押さえ部材１４で網戸用枠体１１に固定する際に、該ネット１２に対して外力が部分的に集中して作用することがなく、該ネット１２に傷を付けたり破損させることなく固定することができる。
【００１６】
なお、上記覆板１５の圧接部１５ａは、上記一対の脚条１６の両外側に設けるものに限らず、いずれか一方の脚条１６の外側のみに設けた構成とすることができ、さらに、上記覆板１５の圧接部１５ａに突設した突条１５ｂも、一方の圧接部１５ａのみに突設して、他方の圧接部１５ａには突設しない構成とすることができ、また、該突条１５ｂは、上述した一対のものに限らず、ネットのメッシュの細かさ（ネットの滑りやすさ）に応じて適宜増減することができ、さらに、該突条１５ｂの形状も上述した尖頭状のものに限定されず、半円筒状や内向き突縁の外面側に開口する凹形状など、適宜の形状とすることができる。
【００１７】
ここで、上述した第１実施例においては、上記押さえ部材１４を、係止用溝１８の口部両側に突出する内向き突縁１９にそれぞれ圧接する状態で嵌る一対の弾性変形可能な脚条１６を備えるものとして構成したが、図５に示す第２実施例においては、網戸用枠体２１の係止用溝２８が、該網戸用枠体２１の内周平面２８Ａ、該内周平面２８Ａから内向きに突出する溝底形成突片２８Ｂ、該突片２８Ｂから上記内周平面２８Ａに平行に突出する溝側壁２８Ｃ、及び該溝側壁２８Ｃの先端部から上記内周平面２８Ａ側に突出する内向き突縁２９により、口部を狭窄化して形成されている場合に対応するものとして、該係止用溝２８にネット１２とともに押入する押さえ部材２４を、係止用溝２８を覆う覆板２５に、該係止用溝２８に対して上記内向き突縁２９に圧接する状態で嵌る１条の弾性変形可能な脚条２６Ａと、上記網戸用枠体２１の内周平面２８Ａに当接して挿着姿勢を保持する１条の当接板部２６Ｂとを一体的に備えた構成としている。
【００１８】
上記押さえ部材２４は、覆板２５における脚条２６Ａの外側に、該覆板２５及び脚条２６Ａよりも軟質の合成樹脂により該覆板２５と一体成型された圧接部２５ａが形成されており、該圧接部２５ａには、該圧接部２５ａと上記係止用溝２８における内向き突縁２９の外面２９ａとの間に挟持した上記ネット１２に弾性的に圧接する一対の尖頭状の突条２５ｂが突設されている。この突条２５ｂは、尖頭状の頂部が上記脚条２６Ａ側に偏倚して形成されている。
また、上記脚条２６Ａには、その先端部外側に、上記係止用溝２８への押入時に上記内向き突縁２９の先端に圧接する斜面２６ｂを有し、且つ、上記押さえ部材２４の係止用溝２８への押入完了時に上記突縁２９の内側に係止する係止縁２６ｃを有する係止突部２６ａを備えており、該係止突部２６ａの係止縁２６ｃを、該係止突部２６ａの先端部外側における上記斜面２６ｂに背向する斜面に形成している。
【００１９】
一方、上記当接板部２６Ｂは、上記網戸用枠体２１の内周平面２８Ａに当接して挿着姿勢を保持するためのものであり、この第２実施例においては平面状をなすものとして構成しているが、該当接板部２６Ｂにおける上記枠体２１の内周平面２８Ａに当接する側の面に、該内周平面２８Ａに接する少なくとも１つの突出部を設けることにより、該当接板部２６Ｂが突出部で上記内周平面２８Ａに当接するように形成することができ、それにより、該当接板部２６Ｂの姿勢を一層安定化させることができる。
【００２０】
上記構成を有する押さえ部材２４は、当該押さえ部材２４を上記枠体２１の係止用溝２８にネット１２とともに押入した際に、最終的な固定がほぼ完了する段階において、該ネット１２に対する当接角度が略直角に近い該突条２５ｂにおける上記脚条２６Ａ側の面が、上記ネット１２の表面の凹凸により変形しながら該ネット１２に対して弾性的に圧接されるので、該突条２５ｂとネット１２との間の摩擦力によって該ネット１２が係止用溝２８内でずれ動くのがより良好に抑制され、該ネット１２をより安定的に固定することができる。
しかも、上記脚条２６Ａの係止突部２６ａが、該係止突部２６ａの斜面２６ｂ及び係止縁２６ｃの斜面によってなだらかな山型に形成されるので、上記押さえ部材２４の係止用溝２８内への押入時において、上記ネット１２は係止突部２６ａに対して適度の滑動が許容され、したがって、該ネット１２に対して外力が部分的に集中して作用することがなく、該ネット１２に傷を付けたり破損させることなく、該ネット１２を上記係止用溝２８の内向き突縁２９の先端及び溝側壁２５と上記脚条２６Ａにおける係止突部２６ａの斜面２６ｂ及び係止縁２６ｃの斜面との間に挟持させることができる。
なお、この第２実施例のその他の構成及び作用は、実質的に前記第１実施例と同様であるから、それらの説明を省略する。
【００２１】
ここで、本発明に係る網戸用ネットの押さえ部材は、上述したように、既知の防虫用ネットに比してメッシュが細かい網戸用ネットを網戸用枠体に対して固定する場合に特に有効なものであるが、既知の防虫用ネットを網戸用枠体に対して固定する場合にも有効であるのはいうまでもない。
【図面の簡単な説明】
【００２２】
【図１】本発明の第１実施例に係る網戸用ネットの押さえ部材を係止用溝に挿着した状態を示す断面図である。
【図２】同実施例に係る網戸用ネットの断面図である。
【図３】同実施例の押さえ部材を防虫網戸に適用した状態を示す分解斜視図である。
【図４】上記防虫網戸の平断面図である。
【図５】本発明の第２実施例に係る網戸用ネットの押さえ部材を係止用溝に挿着した状態を示す断面図である。
【符号の説明】
【００２３】
１１，２１    網戸用枠体
１２    防虫用ネット
１４，２４    押さえ部材
１５，２５    覆板
１５ａ，２５ａ  圧接部
１５ｂ，２５ｂ  突条
１６，２６Ａ    脚条
２６Ｂ  当接板部
１６ａ，２６ａ  係止突部
１６ｂ，２６ｂ  斜面
１６ｃ，２６ｃ  係止縁
１８，２８    係止用溝
１９，２９    内向き突縁
２８Ａ  内周平面
２８Ｂ  溝底形成突片
２８Ｃ  溝側壁
【図１】
2007205153.tif 000003
【図２】
2007205153.tif 000004
【図３】
2007205153.tif 000005
【図４】
2007205153.tif 000006
【図５】
2007205153.tif 000007